(57)【要約】【課題】複数種類のデータ記録密度で記録されるディスクにおいて、そのディスク管理情報を誤りなく容易に読み出すこと。【解決手段】光ディスク１には、互いに異なるデータ記録密度にて情報を記録する複数のデータ記録領域１０３，１０４を有する。データ記録領域１０３，１０４におけるデータ記録密度の情報は、管理情報記録領域（ＢＣＡ領域１０１およびＰＩＣ領域１０２）に、データ記録領域１０３，１０４のデータ記録密度に依存しない特定のフォーマットにて記録する。ここに各データ記録領域は、ディスクの同一面内に分割して配置され、あるいは、複数の記録層に分割して配置される。【選択図】図１
2011187100.tif 000002
【特許請求の範囲】
【請求項１】
所定の記録密度で情報を記録する光ディスクにおいて、
情報を記録するためのデータ記録領域と、
データ記録領域の記録密度とは独立した記録密度であるＢＣＡ(Burst Cutting Area)領域と、
データ記録領域の記録フォーマットとは異なるフォーマットでデータが記録されたＰＩＣ(Permanent Information & Control data)領域とを具備し、
該データ記録領域におけるデータ記録密度の情報を含むディスク管理情報をＢＣＡ領域およびＰＩＣ領域に記録すること
を特徴とする光ディスク。
【請求項２】
複数の記録密度で情報を記録可能な光ディスクにおいて、
同一面内に分割して配置され、互いに異なるデータ記録密度にて情報を記録する複数のデータ記録領域と、
データ記録領域の記録密度とは独立した記録密度であるＢＣＡ(Burst Cutting Area)領域と、
データ記録領域の記録フォーマットとは異なるフォーマットでデータが記録されたＰＩＣ(Permanent Information & Control data)領域とを具備し、
該複数のデータ記録領域における各々のデータ記録密度と各データ記録領域の境界位置の情報を含むディスク管理情報を記録するための管理情報記録領域を、ＢＣＡ領域およびＰＩＣ領域に記録することを特徴とする光ディスク。
【請求項３】
複数の記録層を有し複数の記録密度で情報を記録可能な光ディスクにおいて、
記録層毎に異なるデータ記録密度にて情報を記録する複数のデータ記録領域と、
データ記録領域の記録密度とは独立した記録密度であるＢＣＡ(Burst Cutting Area)領域と、
データ記録領域の記録フォーマットとは異なるフォーマットでデータが記録されたＰＩＣ(Permanent Information & Control data)領域とを具備し、
各記録層のデータ記録領域における各々のデータ記録密度の情報を含むディスク管理情報を記録するための管理情報記録領域をＢＣＡ領域およびＰＩＣ領域に記録することを特徴とする光ディスク。
【請求項４】
光ディスクのデータ記録領域に情報を記録または再生する光ディスク記録装置において、
上記光ディスクのＢＣＡ（Burst Cutting Area）領域およびＰＩＣ(Permanent Information & Control data)領域にて上記データ記録領域のデータ記録密度の情報を含むディスク管理情報が記録されているものであって、
上記ディスク管理情報からデータ記録密度を判定する記録密度判定回路と、記録再生設定回路を備え、
上記記録密度判定回路により判定したデータ記録密度に応じて記録再生設定回路に記録再生処理条件を選択して設定することを特徴とする光ディスク記録装置。
【請求項５】
光ディスクのデータ記録領域に情報を再生する光ディスク再生装置において、
上記光ディスクのＢＣＡ（Burst Cutting Area）領域およびＰＩＣ(Permanent Information & Control data)領域に上記データ記録領域のデータ記録密度の情報を含むディスク管理情報が記録されているものであって、
上記ディスク管理情報から目標のデータ記録領域のデータ記録密度を判定する記録密度判定回路と、記録再生設定回路を備え、
上記記録密度判定回路により判定したデータ記録密度に応じて記録再生設定回路に再生処理条件を選択して設定することを特徴とする光ディスク再生装置。
【請求項６】
請求項４に記載の光ディスク記録装置において、
前記光ディスクは、複数の記録層を有し記録層毎に異なるデータ記録密度にて情報を記録する複数のデータ記録領域を有するものであって、
前記ディスク管理情報から検出したデータ記録密度情報を参照し、データ記録密度を判定する層判定回路を備え、
上記層判定回路の判定によりデータ記録密度が切り替わるとき、データ記録密度に応じて記録再生設定回路に記録再生処理条件を選択して設定することを特徴とする光ディスク記録装置。
【請求項７】
請求項５に記載の光ディスク再生装置において、
前記光ディスクは、複数の記録層を有し記録層毎に異なるデータ記録密度にて情報を記録する複数のデータ記録領域を有するものであって、
前記ディスク管理情報から検出したデータ記録密度情報を参照し、データ記録密度を判定する層判定回路を備え、
上記層判定回路の判定によりデータ記録密度が切り替わるとき、データ記録密度に応じて記録再生設定回路に再生処理条件を選択して設定することを特徴とする光ディスク再生装置。
【請求項８】
光ディスクのデータ記録領域に情報を記録または再生する情報記録再生方法において、
上記光ディスクのＢＣＡ（Burst Cutting Area）領域およびＰＩＣ(Permanent Information & Control data)領域に上記データ記録領域のデータ記録密度の情報を含むディスク管理情報が記録されており、
上記ディスク管理情報を読み出すステップと、
読み出した上記ディスク管理情報からデータ記録密度を判定するステップと、
判定したデータ記録密度に応じて記録再生処理条件を選択して設定するステップと、
設定した記録再生処理条件にて情報を記録または再生するステップと、
を備えることを特徴とする情報記録再生方法。
【請求項９】
光ディスクのデータ記録領域から情報を再生する情報再生方法において、
上記光ディスクのＢＣＡ（Burst Cutting Area）領域およびＰＩＣ(Permanent Information & Control data)領域に上記データ記録領域のデータ記録密度の情報を含むディスク管理情報が記録されており、
上記ディスク管理情報を読み出すステップと、
読み出した上記ディスク管理情報からデータ記録密度を判定するステップと、
判定したデータ記録密度に応じて再生処理条件を選択して設定するステップと、
設定した再生処理条件にて情報を再生するステップと、
を備えることを特徴とする情報再生方法。
【請求項１０】
請求項８に記載の情報記録再生方法において、
前記光ディスクは、複数の記録層を有し記録層毎に異なるデータ記録密度にてデータを記録可能な複数のデータ記録領域を有し、
前記ディスク管理情報からデータ記録密度を参照るステップと、
データ記録領域のデータ記録密度に応じた記録再生処理条件を選択して設定するステップ、
を備えることを特徴とする情報記録再生方法。
【請求項１１】
請求項９に記載の情報再生方法において、
前記光ディスクは、複数の記録層を有し記録層毎に異なるデータ記録密度にてデータを記録可能な複数のデータ記録領域を有し、
前記ディスク管理情報からデータ記録密度を参照するステップと、
記録層のデータ記録領域のデータ記録密度に応じた再生処理条件を選択して設定するステップ、
を備えることを特徴とする情報再生方法。
【請求項１２】
光ディスクのデータ記録領域に情報を再生する光ディスク再生装置において、
上記光ディスクのＢＣＡ（Burst Cutting Area）領域およびＰＩＣ(Permanent Information & Control data)領域に上記データ記録領域のデータ記録密度の情報を含むディスク管理情報が記録されているものであって、
上記ディスク管理情報からデータ記録密度を判定する記録密度判定回路と、を備え、
上記記録密度判定回路により判定したデータ記録密度に応じて該光ディスクの再生処理を停止することを特徴とする光ディスク再生装置。
【請求項１３】
光ディスクのデータ記録領域に情報を記録または再生する光ディスク記録装置において、
上記光ディスクのＢＣＡ（Burst Cutting Area）領域およびＰＩＣ(Permanent Information & Control data)領域に上記データ記録領域のデータ記録密度の情報を含むディスク管理情報が記録されているものであって、
上記ディスク管理情報からデータ記録密度を判定する記録密度判定回路と、を備え、
上記記録密度判定回路により判定したデータ記録密度に応じて該光ディスクの記録処理を停止することを特徴とする光ディスク記録装置。
【請求項１４】
光ディスクのデータ記録領域に情報を再生する情報再生方法において、
上記光ディスクのＢＣＡ（Burst Cutting Area）領域およびＰＩＣ(Permanent Information & Control data)領域に上記データ記録領域のデータ記録密度の情報を含むディスク管理情報が記録されており、
上記ディスク管理情報を読み出すステップと、
読み出した上記ディスク管理情報からデータ記録密度を判定するステップと、
判定したデータ記録密度に応じて情報の再生を停止するステップと、
を備えることを特徴とする情報再生方法。
【請求項１５】
光ディスクのデータ記録領域に情報を記録する情報記録方法において、
上記光ディスクのＢＣＡ（Burst Cutting Area）領域およびＰＩＣ(Permanent Information & Control data)領域に上記データ記録領域のデータ記録密度の情報を含むディスク管理情報が記録されており、
上記ディスク管理情報を読み出すステップと、
読み出した上記ディスク管理情報からデータ記録密度を判定するステップと、
判定したデータ記録密度に応じて情報の記録を停止するステップと、
を備えることを特徴とする情報記録方法。
【発明の詳細な説明】
【技術分野】
【０００１】
本発明は、複数種類のデータ記録密度で情報を記録するための光ディスク、光ディスク記録再生装置および情報記録再生方法に関するものである。
【背景技術】
【０００２】
高密度大容量記録可能な光ディスクでは、記録層を多層化することで更なる大容量化が進められている。例えばブルーレイディスク（ＢＤ）では、１枚のディスクに１００ＧＢの情報を記録するために、標準のデータ記録密度である２５ＧＢ／ｌａｙｅｒの４層化と、さらに高密度化した３３ＧＢ／ｌａｙｅｒの３層化などのアプローチがなされている。このように、データ記録密度を始め記録フォーマットの異なる光ディスクが出現すると、これらを識別しそのフォーマットに対応して記録再生を行う光ディスク装置が必要になる。
【０００３】
これに関連する技術として、例えば特許文献１には、ディスクの種類に応じて光学系（開口数、ＮＡ）を切り替え、さらにこれに連動して信号処理系の特性を変更する構成が開示されている。また特許文献２には、１枚のディスクが異なるフォーマットで記録された複数の記録層を持つ場合、各記録層のフォーマットを認識するために、リードイン領域に複数の記録層のフォーマット情報を記録する構造が開示されている。
【先行技術文献】
【特許文献】
【０００４】
【特許文献１】特開平９−２８２７８５号公報
【特許文献２】特開２００７−２６６１７号公報
【発明の概要】
【発明が解決しようとする課題】
【０００５】
前記したように、ＢＤ多層ディスクの場合、従来の標準密度（２５ＧＢ／ｌａｙｅｒ）と高密度（３３ＧＢ／ｌａｙｅｒ）の２種類のデータ記録密度が候補とされている。この場合、いずれのフォーマットでも青色レーザーの波長は４０５ｎｍ、開口数（ＮＡ）は０．８５を用いるので、ディスク面の反射率などによるフォーマット判別は困難になる。よって、前記特許文献１に記載の技術ではディスクを識別して再生することができない。
【０００６】
特許文献２では、２種類のフォーマット（ＨＤ＿ＤＶＤとＤＶＤ）が混在する多層ディスクの識別を行うため、リードインエリア（Ｓｙｓｔｅｍ／Ｄａｔａ  Ｒｅａｄ  ｉｎ  Ａｒｅａ）やＢＣＡ（Burst Cutting Area）に各層のフォーマット情報（レイヤーフォーマットテーブル）を記録しておくものである。しかしながら、次の点で不都合が生じる。
【０００７】
（１）リードインエリアの場合、フォーマット情報自身が、そのリードインエリアが属する層のフォーマットに依存して記録されている。リードンエリアから情報を読み出すためにはそのフォーマットが既知でなければならないが、層とフォーマットの対応が決められていない場合、リードンエリアの情報の読み出しに失敗することが予想される。
【０００８】
（２）フォーマット情報を記録する領域（ディスク管理情報領域）が高密度フォーマットで記録される領域であると、従来の標準密度（＝低密度）にのみ対応した装置では読み出し不能となりディスクの判別が不可能である。
【０００９】
（３）多層ディスクの場合、各層のフォーマットとともに層の記録可否情報を合わせて管理することが望ましい。その場合、ディスク製造後にフォーマット情報を記録できることが必要となる。特許文献２に示されるリードインエリアやＢＣＡは、ディスク製造時に作成されるものであって、製造後に記録することはできない。
【００１０】
本発明の目的は、複数種類のデータ記録密度で記録されるディスクにおいて、そのディスク管理情報を誤りなく容易に読み出し可能な光ディスク、光ディスク記録再生装置および情報記録再生方法を提供することである。
【課題を解決するための手段】
【００１１】
本発明は、所定の記録密度で情報を記録する光ディスクにおいて、情報を記録するためのデータ記録領域と、データ記録領域におけるデータ記録密度の情報を含むディスク管理情報を記録するための管理情報記録領域を有し、管理情報記録領域には、データ記録領域のデータ記録密度に依存しない特定のフォーマットにてディスク管理情報を記録する。
【００１２】
本発明は、複数の記録密度で情報を記録可能な光ディスクにおいて、同一面内に分割して配置され、互いに異なるデータ記録密度にて情報を記録する複数のデータ記録領域と、複数のデータ記録領域における各々のデータ記録密度と各データ記録領域の境界位置の情報を含むディスク管理情報を記録するための管理情報記録領域を有し、管理情報記録領域には、複数のデータ記録領域の各々のデータ記録密度に依存しない特定のフォーマットにてディスク管理情報を記録する。
【００１３】
本発明は、複数の記録層を有し複数の記録密度で情報を記録可能な光ディスクにおいて、記録層毎に異なるデータ記録密度にて情報を記録する複数のデータ記録領域と、各記録層のデータ記録領域における各々のデータ記録密度の情報を含むディスク管理情報を記録するための管理情報記録領域を有し、管理情報記録領域には、複数のデータ記録領域の各々のデータ記録密度に依存しない特定のフォーマットにてディスク管理情報を記録する。
【００１４】
本発明は、複数の記録層を有し複数の記録密度で情報を記録可能な光ディスクにおいて、記録層毎に異なるデータ記録密度にて情報を記録する複数のデータ記録領域と、複数のデータ記録領域における各々のデータ記録密度を含むディスク管理情報を記録するための管理情報記録領域を有し、管理情報記録領域は、複数のデータ記録領域の中でデータ記録密度が標準密度であるデータ記録領域内の一部領域に配置し、ディスク管理情報を該領域のデータ記録密度のフォーマットにて記録する。
【００１５】
本発明は、光ディスクのデータ記録領域に情報を記録または再生する光ディスク記録再生装置において、光ディスクの管理情報記録領域には、データ記録領域のデータ記録密度に依存しない特定のフォーマットにてデータ記録領域のデータ記録密度の情報を含むディスク管理情報が記録されているものであって、光ディスクを回転させるスピンドルモータと、光ディスクの管理情報記録領域からディスク管理情報を読み出すとともに、光ディスクのデータ記録領域に情報を記録または再生する光ヘッドと、光ヘッドに供給する記録信号または光ヘッドからの再生信号を処理する記録再生処理部と、光ヘッドにより読み出したディスク管理情報から目標のデータ記録領域のデータ記録密度または間接的にデータ記録密度と関連を持つ情報を判定する記録密度判定回路と、を備え、記録再生処理部は、記録密度判定回路により判定したデータ記録密度に応じて、記録再生処理条件を選択して設定するもしくは適切な方法で以降の動作を停止する。例えばディスク層数とデータ記録密度が一対一に対応をする場合は、ディスク層数により記録再生条件の選択、もしくは適切な方法で以降の動作を停止する動作を実施する。また、その他の例としてディスクの記録容量もデータ記録密度と関連する情報となる場合があり、その場合はディスク記録容量により記録再生条件の選択、もしくは適切な方法で以降の動作を停止する動作を実施する。
【００１６】
本発明は、光ディスクのデータ記録領域に情報を記録または再生する情報記録再生方法において、光ディスクの管理情報記録領域には、データ記録領域のデータ記録密度に依存しない特定のフォーマットにてデータ記録領域のデータ記録密度の情報を含むディスク管理情報が記録されており、前記特定のフォーマットに従ってディスク管理情報を再生するための再生条件を設定するステップと、光ディスクの管理情報記録領域からディスク管理情報を読み出すステップと、読み出したディスク管理情報からデータ記録領域のデータ記録密度または間接的にデータ記録密度と関連を持つ情報を判定するステップと、判定したデータ記録密度に応じて記録再生処理条件を選択して設定するステップと、設定した記録再生処理条件にてデータ記録領域にて情報を記録または再生するステップ、もしくは適切な方法で以降の動作を停止するステップとを備える。
【００１７】
また本発明は、光ディスクのデータ記録領域に情報を記録または再生する情報記録再生方法において、光ディスクの管理情報記録領域には、データ記録領域のデータ記録密度に依存しない特定のフォーマットにてデータ記録領域のデータ記録密度の情報を含むディスク管理情報を記録することにより、このディスクの記録、再生に対応していない既存ドライブに前記ディスクが装着された時に、既存ドライブが正しい処理（例えば安全に機能を停止する、ディスクを排出する）を行うために必要なディスク判別情報を既存ドライブが取得できるようにするための手段を提供する。
【発明の効果】
【００１８】
本発明によれば、複数種類のデータ記録密度で記録される光ディスクに対し、そのディスク管理情報を誤りなく容易に読み出し可能となる。また、従来の標準記録密度ディスクのみに対応した装置でもディスクの判別処理が可能となり、ユーザの利便性が向上する。さらに複数種類のデータ記録密度で記録された光ディスクに対応した装置でも、そのディスク管理情報を誤りなく容易に読み出し可能となる。さらに、既存ドライブ装置が記録、再生対応しない光ディスクが該装置に挿入された場合において、既存ドライブ装置が前記ディスクを安全に判別して正しく処理（例えば安全に機能を停止する、ディスクを排出する）を行うことができ、誤ってディスクのデータを消去する、もしくはドライブ装置内を破壊するなどの動作を防止することができる。
【図面の簡単な説明】
【００１９】
【図１】実施例１における光ディスク（タイプＡ，タイプＢ）の記録レイアウトの一例を示す図。
【図２】実施例１のディスクにおけるディスク管理情報の表記例を示す図。
【図３】実施例１における光ディスク記録再生装置の構成例を示す図。
【図４】実施例１における光ディスク記録再生装置の他の構成例を示す図。
【図５】実施例１の記録再生処理の手順を示すフローチャート。
【図６】実施例２における光ディスク（タイプＣ）の記録レイアウトの一例を示す図。
【図７】実施例２のディスクにおけるディスク管理情報の表記例を示す図。
【図８】実施例２における光ディスク記録再生装置の構成例を示す図。
【図９】トラッキングよぎり数によるアドレス判定方法を示す図。
【図１０】実施例２の記録再生処理の手順を示すフローチャート。
【図１１】実施例３における光ディスク（タイプＤ）の記録レイアウトの一例を示す図。
【図１２】実施例３のディスクにおけるディスク管理情報の表記例を示す図。
【図１３】実施例３における光ディスク記録再生装置の構成例を示す図。
【図１４】実施例３の記録再生処理の手順を示すフローチャート。
【図１５】実施例４における光ディスク（タイプＥ）の記録レイアウトの一例を示す図。
【図１６】実施例４における光ディスクの記録レイアウトの他の例（タイプＥ’）を示す図。
【図１７】実施例４の記録再生処理の手順を示すフローチャート。
【図１８】実施例５の処理の手順を示すフローチャート。
【図１９】実施例５における光ディスク記録再生装置の構成例を示す図。
【図２０】実施例１，２、４、５におけるＰＩＣ領域のウォブル構造の一例を示す図。
【図２１】実施例１，２、４、５におけるＰＩＣ領域のディスク内配置の一例を示す図。
【図２２】実施例１，２、４、５におけるＰＩＣ領域のディスク情報テーブルの一例を示す図。
【図２３】１−７変調方式のテーブルの一例を示す図。
【発明を実施するための形態】
【００２０】
以下、本発明を実施するための形態について図面を用いて説明する。
【実施例１】
【００２１】
本実施例は、多層ブルーレイディスク（ＢＤ）において、データ記録密度が全層とも標準密度（２５ＧＢ／ｌａｙｅｒ）のディスク（以下、タイプＡと呼ぶ）、または全層とも高密度（３３ＧＢ／ｌａｙｅｒ）のディスク（以下、タイプＢと呼ぶ）を対象とする。層数については、例えば２５ＧＢ／ｌａｙｅｒ×４層構成、３３ＧＢ／ｌａｙｅｒ×３層構成として、両者ともディスク全体の容量を１００ＧＢとしたものである。但し、一層あたりの記録容量、ディスク一枚あたりの層数、ディスク一枚あたりの総記録容量は一例であり、これに限るものではない。また本明細書ではデータ記録密度の違いをユーザデータ領域の一層あたりの記録容量に換算して説明しているが、これは説明の都合上、そのように表記しているものである。タイプＡとタイプＢのディスクの識別法と、これに対する記録再生装置の処理法を述べる。
【００２２】
表１は、タイプＡとタイプＢのディスクにおける記録フォーマットの主要諸元を比較して示したものである。なお、線速度はタイプＡの標準速度である、４．９１７ｍ／ｓを想定したものである。タイプＡ（２５ＧＢ／ｌａｙｅｒ）のディスクは、最短マーク長＝０．１４９μｍ、トラックピッチ＝０．３２μｍであるのに対し、タイプＢ（３３ＧＢ／ｌａｙｅｒ）のディスクは、最短マーク長＝０．１１３μｍ、トラックピッチ＝０．３２μｍである。なお、両者は記録情報信号の変調規則およびディスク上のデータ、アドレッシング、およびそれらに同期したウォブル等のディスクフォーマットを同一としている。また本説明では両者の線速度を同一と想定しており、タイプＡよりもタイプＢの方が線方向のデータ記録密度が高いことにより両者でチャンネルクロック周波数、ウォブル周波数が異なる。そのため、記録再生時にはこれらの変更に従って処理条件を切替える必要がある。すなわち、最短マーク長に対し再生信号レベル処理、クロック周波数に対し再生イコライザや記録ストラテジの条件、ウォブル周波数に対しアドレス再生条件の切り替えを行う。
【表１】
2011187100.tif 000003
【００２３】
図１は、光ディスク（タイプＡ，タイプＢ）の記録レイアウトの一例を示す図である。
【００２４】
タイプＡ、タイプＢのディスクは、ディスク内周側から、ＢＣＡ（Burst Cutting Area）領域１０１、ＰＩＣ（Permanent Information & Control data）領域１０２、データ記録領域１０３，１０４が置されている。ＢＣＡ領域１０１は、ディスクの中心側に28.6um間隔に4〜17um幅のバーコードで情報が記載され、データ記録領域の記録密度とは独立した記録密度となっている。これらはディスク製造後にYAGレーザーと呼ばれる強力な赤外線レーザーにより反射膜を焼き切ることにより記録される。本領域はディスク製造後にメーカーの必要情報を記載するための領域であり、例えば各ディスクの識別を行なうためのシリアルＩＤ、および暗号化情報などが記録される。
【００２５】
またＰＩＣ領域１０２は、ＢＤにおける管理情報領域であり、トラックのウォブルに対してウォブル周波数の変化で管理情報を重畳させた領域である。図２０にＰＩＣ領域のウォブル構造を示す。このウォブル周波数はチャネルクロック周波数の整数倍で定義され、高周波グルーブ（ＨＦＭグルーブ）を形成している。ＨＦＭグルーブの領域ではディスクフォーマットに従ったピット、マークなどによるデータ情報の記録を行わないため、ウォブル周波数をデータ領域の記録密度とは独立して設定可能である。これらはディスク製造時にスタンパ等によりデータ領域のウォブル(溝)と同様に形成され、ディスク製造時にあらかじめ定められた、たとえば記録／再生に必要とされるレーザーパワー値などが記述される。
【００２６】
図２１はＢＤディスクのある層のディスク内の領域配置を示す図である。ディスク最内周側にクランピング、および緩衝領域を含むインナーゾーンが配置され、最外周側にはリム領域が配置される。その間を情報領域とし、その最内周にはＢＣＡ領域が配置される。ＢＣＡ領域の外周側から情報ゾーンが始まり、内周側からリードインゾーン、データゾーン、リードアウトゾーン（アウターゾーン）で構成される。
【００２７】
リードインゾーンは各種ディスク管理情報が記録される領域であり、内周側からＰｒｏｔｅｃｔｉｏｎ  Ｚｏｎｅ１、ＰＩＣ領域、Ｐｒｏｔｅｃｔｉｏｎ  Ｚｏｎｅ２，ＩＮＦＯ２領域、Ｒｅｓｅｒｖｅｄ領域、ＩＮＦＯ１領域で構成される。
【００２８】
ＢＣＡ領域は前述のようにデータ領域とは独立した記録密度領域であるのに対し、ＰＩＣ領域はチャネルクロックの整数倍であるため、両者のフォーマットは異なる。そのため、Ｐｒｏｔｅｃｔｉｏｎ  Ｚｏｎｅ１が緩衝領域として設けられる。
【００２９】
一方、ＩＮＦＯ２以降はデータ領域と同じフォーマットで記録される。データ領域ではユーザ記録データ対して、ＬＤＣ(Long Distance Code)コードを付加された上で、図２３に一例が示される１−７変調テーブルに則ってデータが変調され、ディスク記録される。したがって、データ領域のフォーマットは前述したＰＩＣ領域のデータフォーマットと異なるため、Ｐｒｏｔｅｃｔｉｏｎ  Ｚｏｎｅ２が緩衝領域として設けられる。
ＩＮＦＯ１，２はそれぞれディフェクト管理などのディスク管理情報が記録される領域でありＩＮＦＯ１，２に同じデータを記録することで、ロバスト性を強化している。
【００３０】
図２２はＰＩＣ領域に記録されるディスク情報（ＤＩ：Ｄｉｓｃ  Ｉｎｆｏｒｍａｔｉｏｎ）の種類、およびバイトテーブルの一例を示す。
【００３１】
先頭バイトと次のバイトには、本バイトテーブルがＤＩ情報であることを示す識別子と、テーブルに配置される情報の種類を示すＤＩフォーマットナンバーを配置する。
バイト４からバイト７はＤＩ情報のフレーム数、連続数、ＤＩ数などＤＩの復調に必要な情報が格納される。
バイト８以降はディスク関連情報が記録される。バイト８からバイト１０はディスクタイプを示す識別子が記録される。バイト１１は規格で管理されるディスクのバージョン情報が記録される。
バイト１２、１３は層数などのディスク構造情報、およびチャネルビット長などディスクに依存する情報が記録される。
バイト２４から３１はデータゾーンの割り当て情報が記録される。
データ記録領域１０３と１０４には、それぞれ記録密度２５ＧＢ／ｌａｙｅｒと３３ＧＢ／ｌａｙｅｒにて情報（データ）を記録する。
【００３２】
本実施例では、ディスク製造時に、ＢＣＡ領域１０１またはＰＩＣ領域１０２に、さらにデータ記録領域１０３と１０４のデータ記録密度などのディスク管理情報を記録する。ここでＢＣＡ領域１０１とＰＩＣ領域１０２は、タイプＡ、タイプＢのいずれのディスクでもユーザデータ記録領域と異なる固有のフォーマットでありタイプＡ、タイプＢで同一である。ディスク管理情報はこのフォーマットに従った特定の記録密度にて記録される。言い換えれば、ディスク管理情報を記述する記録密度は、ディスク内のデータ記録領域１０３，１０４のデータ記録密度に依存しないようにする。
【００３３】
図２は、タイプＡ，タイプＢのディスクにおけるディスク管理情報（データ記録密度情報）の表記例を示す表である。データ記録密度情報もしくはデータ記録密度に関連する情報（例えば一層あたりの記録容量）を記述するときのビット配置の一例である。
【００３４】
なお、以降の説明では、データ記録密度情報もしくはデータ記録密度に関連する情報（例えば一層あたりの記録容量）を、単に密度情報と称し、例えば２５ＧＢ／ｌａｙｅｒと記載する。
【００３５】
ここでは、記録密度２５ＧＢ／ｌａｙｅｒ相当（タイプＡ）を“００００”ビットで、記録密度３３ＧＢ／ｌａｙｅｒ相当（タイプＢ）を“０００１”ビットと定義して記述している。このビット値を識別することで、当該ディスクの記録密度もしくはデータ記録密度に関連する情報を判別することができる。
【００３６】
図３は、本実施例における光ディスク記録再生装置の構成例を示す図である。
【００３７】
主な構成要素を説明する。１は光ディスク（ここでは図１に示したＢＤ）、２は光ディスクを回転させるスピンドルモータ、２５は光ヘッドである。光ヘッド２５は、光ディスク１にレーザー光（波長４０５ｎｍ近傍の青色レーザー）を照射して、ディスク管理情報を読み出すとともに、光ディスク１のデータ記録領域１０３，１０４に対し情報の記録／再生を行う。また、複数のデータ記録密度に対応するため、密度判定回路３５、第１および第２の再生信号処理回路９，１０、第１および第２のウォブル信号処理回路１４，１５、第１および第２のストラテジ格納メモリ３０，３１を備える。マイコン３２は、ディスク管理情報の読み出し、記録再生処理回路の設定、記録再生動作の実行などを制御する。
【００３８】
本実施例では、光ディスクのＢＣＡ領域１０１またはＰＩＣ領域１０２からディスク管理情報を読み出し、密度判定回路３５にて対象ディスクの密度情報（２５ＧＢ／ｌａｙｅｒか、３３ＧＢ／ｌａｙｅｒか）を判別する。その判別結果に従い、第１および第２の再生信号処理回路９，１０を切り替えて、復調回路１２で再生信号を復調する。また、第１および第２のウォブル信号処理回路１４，１５を切り替えて、アドレス生成回路１７で記録再生アドレスを再生する。また、第１および第２のストラテジ格納メモリ３０，３１を切り替えて、記録ストラテジ生成回路２７にて記録信号を生成する。再生信号処理回路９，１０の切り替えでは、最短マーク長やクロック周波数に合わせた再生イコライザの設定、ウォブル信号処理回路１４，１５の切り替えでは、ウォブル周波数に合わせたアドレス再生の設定、ストラテジ格納メモリ３０，３１の切り替えでは、クロック周波数に合わせた記録ストラテジの設定を行う。
【００３９】
図４は、光ディスク記録再生装置の他の構成例を示す図である。前記図３の構成と比較して、スピンドルモータ２の回転を制御する回転制御回路４０と、第１および第２の回転制御係数格納メモリ４２，４３を設け、図３における第１および第２のウォブル信号処理回路１４，１５を削除した。密度判定回路３５により対象ディスクの密度情報（２５ＧＢ／ｌａｙｅｒか、３３ＧＢ／ｌａｙｅｒか）を判定し、回転制御係数格納メモリ４２，４３の切り替えを行う。これにより、密度に応じてディスクの回転数を変更し、再生されるウォブル周波数を一定にすることができる。
【００４０】
図５は、本実施例の記録再生処理の手順を示すフローチャートである。
【００４１】
Ｓ３０１では、光ディスク装置にディスクを挿入する。ここでは、ディスクは２５ＧＢ／ｌａｙｅｒ（タイプＡ）か、３３ＧＢ／ｌａｙｅｒ（タイプＢ）である。
【００４２】
Ｓ３０２では、ディスクからディスク管理情報（データ記録密度情報）を読み出すための再生条件を設定する。すなわち、ＢＣＡ領域１０１またはＰＩＣ領域１０２のフォーマットに従った再生条件を設定する。
【００４３】
Ｓ３０３では、光ヘッドをディスク上の管理情報記録領域（ＢＣＡ領域またはＰＩＣ領域）へ移動させる。
【００４４】
Ｓ３０４では、管理情報記録領域からディスク管理情報を読み出す。
【００４５】
Ｓ３０５では、読み出した記録密度情報から、当該ディスクが２５ＧＢ／ｌａｙｅｒ（タイプＡ）か、３３ＧＢ／ｌａｙｅｒ（タイプＢ）かを判定する。
図２２に示すＰＩＣ領域からディスク管理情報を読み出してデータ記録密度を判定する場合、以下の方法が考えられる。
1.  バイト１２に記載されるディスクの層構造の情報からの判別
2.  バイト１１に記載されるディスクのバージョン情報などの規格管理情報からの判別
3.  バイト１３に記載されるディスクのチャネルビット情報からの判別
上記の記録密度判定方法により２５ＧＢ／ｌａｙｅｒ（タイプＡ）と判定された場合は、Ｓ３０６へ進み、２５ＧＢ／ｌａｙｅｒ用の記録再生処理条件（再生信号処理回路、ウォブル信号処理回路、記録ストラテジ）に設定する。
【００４６】
３３ＧＢ／ｌａｙｅｒ（タイプＢ）と判定された場合は、Ｓ３０７へ進み、３３ＧＢ／ｌａｙｅｒ用の記録再生処理条件（再生信号処理回路、ウォブル信号処理回路、記録ストラテジ）に設定する。
【００４７】
Ｓ３０８では、ホストから情報の記録または再生指示のコマンドを待ち、指示があったらＳ３０６またはＳ３０７にて設定した条件にて記録／再生動作を実行する。
【００４８】
本実施例では、ディスク管理情報はＢＣＡ領域またはＰＩＣ領域に特定のフォーマットにて記録されているので、管理情報の再生条件は一義に決定される。よって、いずれの記録密度のディスクが挿入されても、管理情報の再生条件は同一であるため、当該ディスクの記録密度を誤りなく容易に判定し、それに合った記録再生動作を実行することができる。
【実施例２】
【００４９】
本実施例は、データ記録密度として標準密度（２５ＧＢ／ｌａｙｅｒ）の領域と高密度（３３ＧＢ／ｌａｙｅｒ）の領域とが、同一面内（同一層内）で混在するディスク（以下、タイプＣと呼ぶ）を対象とする。簡単のために層数は単層とするが、多層であっても構わない。タイプＣのディスクは、標準密度（２５ＧＢ／ｌａｙｅｒ）対応の従来装置と高密度（３３ＧＢ／ｌａｙｅｒ）対応の高密度対応装置のいずれの装置でも、装置が対応する領域に対して記録、再生が可能である。
【００５０】
図６は、光ディスク（タイプＣ）の記録フォーマットの一例を示す図である。（ａ）は平面構成、（ｂ）は半径方向の構成を示す。
【００５１】
タイプＣのディスクは、同一面内に内周側から、ＢＣＡ領域１１１、ＰＩＣ領域１１２、第１の記録密度領域（２５ＧＢ／ｌａｙｅｒ）１１３、第２の記録密度領域（３３ＧＢ／ｌａｙｅｒ）１１４の順に配置されている。符号１１５は、第１の記録密度領域１１３と第２の記録密度領域１１４との境界である。この境界部１１５には、半径方向に所定幅の未記録部（ギャップ領域）を持たせても良い。ＢＣＡ領域１１１またはＰＩＣ領域１１２には、ディスク管理情報（データ記録密度情報）を記録する。ＢＣＡ領域１１１とＰＩＣ領域１１２はユーザデータ記録領域と異なる固有のフォーマットを有するので、ディスク管理情報は特定の記録密度にて記録される。言い換えれば、ディスク管理情報の記録密度は、ディスク内のデータ記録領域１１３，１１４のデータ記録密度に依存しない。
【００５２】
図７は、ディスクＣにおけるディスク管理情報（データ記録密度情報）の表記例を示す図である。密度情報を記述するときのビット配置の一例である。情報の内容としては、複数の記録密度が混在するかどうかを示す項目（Ｈｙｂｌｉｄ）を追加し、また記録密度境界の位置情報（アドレス値）を記述する。Ｈｙｂｌｉｄ＝“１”であれば混在ディスク（タイプＣ）であることを示し、複数の密度情報と境界アドレス値を記述する。Ｈｙｂｌｉｄ＝“０”であれば、単一の記録密度（タイプＡ，タイプＢ）であることを示す。図７の表記によれば、タイプＡ，Ｂ，Ｃを判別することができる。
【００５３】
なお、ディスクＣにおけるデータ記録密度情報などのディスク管理情報の記載方法としては、図２０から２２に示すＰＩＣフォーマットによる記載も考えられる。
【００５４】
図２２に示すＰＩＣ領域からディスク管理情報を読み出してデータ記録密度を判定する場合、以下の方法が考えられる。
1.  バイト１２に記載されるディスクの層構造の情報からの判別
2.  バイト１１に記載されるディスクのバージョン情報などの規格管理情報からの判別
3.  バイト１３に記載されるディスクのチャネルビット情報からの判別
図８は、本実施例における光ディスク記録再生装置の構成例を示す図である。本実施例では、前記図３の構成において、密度情報格納メモリ５０、アドレス判定回路５１、トラッキングよぎり数（ＴＥＳ）カウント回路５２を備えたものである。
【００５５】
タイプＣのディスクから読み出された密度情報や境界アドレス情報は密度情報格納メモリ５０に格納され、これらはアドレス判定回路５１にて参照される。アドレス判定回路５１はアドレス生成回路１７からの現在アドレス情報を受け、対象領域の密度（２５ＧＢ／ｌａｙｅｒか、３３ＧＢ／ｌａｙｅｒか）を判定する。判定結果により、第１および第２の再生信号処理回路９，１０の切り替えと、第１および第２のウォブル信号処理回路１４，１５の切り替えと、第１および第２のストラテジ格納メモリ３０，３１の切り替えを行う。また、目標領域（目標アドレス）までのトラックよぎり数を計算し、ＴＥＳカウント回路５２によりトラック数をカウントすることで目標領域へのシーク動作を行う。
【００５６】
図９は、トラッキングよぎり数によるアドレス判定方法を示す図である。横軸はアドレス値（半径位置）、縦軸はＴＥＳカウント回路５２によるトラックよぎり（ＴＥＳ）数累計である。区間２０１は２５ＧＢ／ｌａｙｅｒの領域、区間２０２は３３ＧＢ／ｌａｙｅｒの領域で、境界アドレスは“１００００００ｈ”ある。アドレス増加とともにＴＥＳ数累計は増加するが、その勾配は記録密度に依存し区間２０１と区間２０２とで異なる。境界アドレスが“１００００００ｈ”のときのＴＥＳ数累計ＣＮＴ１を算出しておき、ＴＥＳカウント回路５２によりＣＮＴ１までカウントすることで、境界アドレスにシークすることができる。さらに、境界部からのトラッキングよぎり数をカウントすることで、目標領域（アドレス）に到達することができる。
【００５７】
図１０は、本実施例の記録再生処理の手順を示すフローチャートである。（ａ）はディスクローディング時の工程、（ｂ）は記録再生処理時の工程である。
【００５８】
Ｓ４０１では、光ディスク装置にディスクを挿入する。ここでは、ディスクは標準密度（２５ＧＢ／ｌａｙｅｒ）の領域と高密度（３３ＧＢ／ｌａｙｅｒ）の領域とが、同一面内で混在するディスク（タイプＣ）である。
【００５９】
Ｓ４０２では、ディスクからディスク管理情報（データ記録密度情報）を読み出すための再生条件を設定する。すなわち、ＢＣＡ領域１１１またはＰＩＣ領域１１２のフォーマットに適合する再生条件を設定する。
【００６０】
Ｓ４０３では、光ヘッドをディスク上の管理情報記録領域（ＢＣＡ領域１１１またはＰＩＣ領域１１２）へ移動させる。
【００６１】
Ｓ４０４では、管理情報記録領域からディスク管理情報を読み出す。
【００６２】
Ｓ４０５では、管理情報記録領域から読み出したディスク管理情報（データ記録密度、密度境界アドレス値）を密度情報格納メモリ５０に格納する。
【００６３】
Ｓ４０６では、ホストから情報の記録または再生指示のコマンドを待つ。
【００６４】
次に記録再生処理に進む。
【００６５】
Ｓ４１１では、ホストから情報の記録または再生のコマンドを受ける。
【００６６】
Ｓ４１２では、受けたコマンドから記録／再生の目標アドレスを取得する。
【００６７】
Ｓ４１３では、目標アドレスと、密度情報格納メモリ５０に格納しているディスク管理情報（データ記録密度、密度境界アドレス値）とから、目標アドレスでの記録／再生条件に設定する。すなわち、記録再生処理条件（再生信号処理回路、ウォブル信号処理回路、記録ストラテジ）を２５ＧＢ／ｌａｙｅｒ用の条件、または３３ＧＢ／ｌａｙｅｒ用の条件に設定する。
【００６８】
Ｓ４１４では、目標アドレスと密度情報格納メモリ５０に格納しているディスク管理情報とから、目標アドレスまでの各領域のデータ記録密度と、目標アドレスまでのトラックよぎり数（ＴＥＳ）を算出する。
【００６９】
Ｓ４１５では、トラックよぎり数をカウントして、目標領域へシーク動作する。
【００７０】
Ｓ４１６では、到着位置のアドレスを読み出して、シーク終了を確認する。
【００７１】
Ｓ４１７では、データの記録／再生動作を開始する。
【００７２】
Ｓ４１８では、記録／再生アドレスが記録密度の境界アドレスかどうかを判定する。境界の場合はＳ４１９へ、境界でなければＳ４２２へ進む。
【００７３】
Ｓ４１９では、記録／再生動作を中断する。
【００７４】
Ｓ４２０では、密度情報格納メモリ５０から次の領域の記録密度情報を読み出し、その密度に対応する記録再生処理条件（再生信号処理回路、ウォブル信号処理回路、記録ストラテジ）に設定する。
【００７５】
Ｓ４２１では、次の記録密度領域まで移動する。
【００７６】
Ｓ４２２では、１アドレス単位で記録／再生処理を行う。
【００７７】
Ｓ４２３では、記録／再生用データが全て終了したかどうか判定する。残りのデータがあればＳ４１８へ戻り処理を継続する。残りのデータがなくなれば、Ｓ４２４にて記録再生処理を終了する。
【００７８】
本実施例によれば、データ記録密度が同一面内で混在するディスク（タイプＣ）においても、ＢＣＡ領域またはＰＩＣ領域にディスク管理情報（記録密度の配置、境界アドレス）が固定のフォーマットにて記録されている。よって、管理情報の再生条件は一義に決定され、誤りなく容易に判定できる。そして、ディスク内の目標位置の記録密度に従い、それぞれの記録密度に合った記録再生動作を実行することができる。
【実施例３】
【００７９】
本実施例は、データ記録密度が標準密度（２５ＧＢ／ｌａｙｅｒ）の層と高密度（３３ＧＢ／ｌａｙｅｒ）の層とが混在する多層ディスク（以下、タイプＤと呼ぶ）を対象とする。タイプＤのディスクは、標準密度（２５ＧＢ／ｌａｙｅｒ）対応の従来装置と高密度（３３ＧＢ／ｌａｙｅｒ）対応の高密度対応装置のいずれの装置でも装置が対応する層に対して記録、再生が可能である。
【００８０】
図１１は、光ディスク（タイプＤ）の記録フォーマットの一例を示す図である。ここでは、２５ＧＢ／ｌａｙｅｒの層と３３ＧＢ／ｌａｙｅｒの層とが交互に４層配置した構成の例である。ディスク表面側から各記録層をＬ０，Ｌ１，Ｌ２，Ｌ３とする。各層において、内周側から、ＢＣＡ領域１２１、ＰＩＣ領域１２２、データ記録領域１２３，１２４を配置している。各層のデータ記録領域１２３，１２４では２５ＧＢ／ｌａｙｅｒまたは３３ＧＢ／ｌａｙｅｒのデータ記録密度でデータが記録される。なお、ＢＣＡ領域１２１は各層にて存在するが、ＰＩＣ領域１２２はＬ０層のみに形成する。本例では、ディスク管理情報（データ記録密度情報）をＰＩＣ領域１２２に記録する。ＰＩＣ領域１２２は、ユーザデータ記録領域と異なる固有のフォーマットを有するので、ディスク管理情報は特定の記録密度にて記録される。言い換えれば、ディスク管理情報の記録密度は、近接するデータ記録領域１２３のデータ記録密度に依存しない。なお、ＰＩＣ領域１２２のあるＬ０層の記録密度を常に標準の２５ＧＢ／ｌａｙｅｒとすることで、標準密度（２５ＧＢ／ｌａｙｅｒ）対応の従来装置との互換性を保持することができるという効果がある。あるいは、ＰＩＣ領域１２２をデータ記録密度が最低となる記録層に配置するようにしても良い。
【００８１】
なお、ＰＩＣ領域へのデータ記録密度情報の記載方法としては、図２２に示すようにディスクバージョン情報などの規格管理情報、チャネルビット長、および記録密度と関連した情報、例えば記録密度により層数が異なるようなディスクの場合はディスク構造情報などが考えられる。
【００８２】
図１２は、ディスクＤにおけるディスク管理情報（データ記録密度情報）の表記例を示す図である。密度情報を記述するときのビット配置の一例である。情報の内容としては、各層毎の記録密度の記述欄を設け、データ記録密度を２ビットで記述する。ここでは８層分の欄を設け、記録密度２５ＧＢ／ｌａｙｅｒを“００”ビットで、記録密度３３ＧＢ／ｌａｙｅｒを“０１”ビットと定義して記述している。
【００８３】
図１３は、本実施例における光ディスク記録再生装置の構成例を示す図である。本実施例では、前記図３の構成において、密度情報格納メモリ６０、フォーカスエラー信号（ＦＥＳ）生成回路６２、フォーカスエラーサーボ回路６３、現在層判定回路６４を備えたものである。ＦＥＳ生成回路６２は各層からのよぎり信号を生成し、フォーカスエラーサーボ回路６３は目標層へのフォーカス引き込みを行う。
【００８４】
タイプＤのディスクから読み出された各層の密度情報は、密度情報格納メモリ６０に格納され、現在層判定回路６４にて参照される。現在層判定回路６４は、ＦＥＳ生成回路６２からのＦＥ信号と、アドレス生成回路１７からの再生アドレスを入力して、現在層が何層目かを判定する。また密度情報格納メモリ６０からの密度情報により、現在層の記録密度（２５ＧＢ／ｌａｙｅｒか、３３ＧＢ／ｌａｙｅｒか）を判定する。判定結果により第１および第２の再生信号処理回路９，１０の切り替えと、第１および第２のウォブル信号処理回路１４，１５の切り替えと、第１および第２のストラテジ格納メモリ３０，３１の切り替えを行う。
【００８５】
図１４は、本実施例の記録再生処理の手順を示すフローチャートである。（ａ）はディスクローディング時の工程、（ｂ）は記録再生処理時の工程である。
【００８６】
Ｓ５０１では、光ディスク装置にディスクを挿入する。ここでは、ディスクは標準密度（２５ＧＢ／ｌａｙｅｒ）の層と高密度（３３ＧＢ／ｌａｙｅｒ）の層とが多層化されて混在するディスク（タイプＤ）である。
【００８７】
Ｓ５０２では、光ヘッドのフォーカスを、ディスク管理情報（データ記録密度情報）が記録されている特定の層（Ｌ０層）へ引き込む。
【００８８】
Ｓ５０３では、ディスクからディスク管理情報を読み出すための再生条件を設定する。
【００８９】
Ｓ５０４では、光ヘッドをディスク上の管理情報記録領域（ＰＩＣ領域１２２）へ移動させる。
【００９０】
Ｓ５０５では、管理情報記録領域からディスク管理情報を読み出す。
【００９１】
管理情報記録領域であるＰＩＣ領域から読み出すディスク管理情報としては、以下が考えられる。
1.  バイト１２に記載されるディスクの層構造の情報
2.  バイト１１に記載されるディスクのバージョン情報などの規格管理情報
3.  バイト１３に記載されるディスクのチャネルビット情報
Ｓ５０６では、管理情報記録領域から読み出したディスク管理情報（各層のデータ記録密度）を密度情報格納メモリ６０に格納する。
【００９２】
Ｓ５０７では、ホストから情報の記録または再生指示のコマンドを待つ。
【００９３】
次に記録再生処理に進む。
【００９４】
Ｓ５１１では、ホストから情報の記録または再生のコマンドを受ける。
【００９５】
Ｓ５１２では、受けたコマンドから記録／再生の目標アドレスを取得する。
【００９６】
Ｓ５１３では、記録／再生の目標アドレスから目標層が何層目かを計算する。
【００９７】
Ｓ５１４では、密度情報格納メモリ６０に格納した情報を参照し、目標層の記録密度を判定する。
【００９８】
記録密度が２５ＧＢ／ｌａｙｅｒの場合は、Ｓ５１５へ進み、２５ＧＢ／ｌａｙｅｒ用の記録再生処理条件（再生信号処理回路、ウォブル信号処理回路、記録ストラテジ）に設定する。
【００９９】
記録密度が３３ＧＢ／ｌａｙｅｒの場合は、Ｓ５１６へ進み、３３ＧＢ／ｌａｙｅｒ用の記録再生処理条件（再生信号処理回路、ウォブル信号処理回路、記録ストラテジ）に設定する。
【０１００】
Ｓ５１７では、光ヘッドのフォーカスを目標層へ引き込む。
【０１０１】
Ｓ５１８では、到着位置のアドレスを読み出して、シーク終了を確認する。
【０１０２】
Ｓ５１９では、記録／再生動作を開始する。
【０１０３】
本実施例によれば、各層においてデータ記録密度が異なる多層ディスク（タイプＤ）においても、ＰＩＣ領域にディスク管理情報（各層の記録密度）が固有のフォーマットにて記録されている。よって、管理情報の再生条件は一義に決定され、誤りなく容易に判定できる。そして、ディスク内の目標層の記録密度に従い、それぞれの記録密度に合った記録再生動作を実行することができる。
【実施例４】
【０１０４】
本実施例でも、前記実施例３と同様に、多層ディスクでデータ記録密度が標準密度（２５ＧＢ／ｌａｙｅｒ）の層と高密度（３３ＧＢ／ｌａｙｅｒ）の層とが混在するディスクを対象とする。ただし、ディスク管理情報（データ記録密度情報）を、標準密度（２５ＧＢ／ｌａｙｅｒ）のデータ記録領域の一部領域に記録する構成である（以下、このディスクをタイプＥと呼ぶ）。この場合、データ記録領域を利用して管理情報を記録するので、ディスク製造後に情報を記録することが可能である。例えば、ディスク製造者は、ディスク製造後に製造した各ディスクを検査し、使用不可の層が存在しないかどうかを判定する。そしてその判定結果を、各層の記録密度情報とともにディスク管理情報に含めて記録することができる。
【０１０５】
図１５は、光ディスク（タイプＥ）の記録フォーマットの一例を示す図である。
【０１０６】
ディスクは、２５ＧＢ／ｌａｙｅｒの層と３３ＧＢ／ｌａｙｅｒの層とを交互に４層配置し、ディスク表面側から各層をＬ０，Ｌ１，Ｌ２，Ｌ３とする。また内周側から、ＢＣＡ領域１３１、ＰＩＣ領域１３２（Ｌ０層のみ）、データ記録領域１３３，１３４を配置している。そして、記録密度が標準密度（２５ＧＢ／ｌａｙｅｒ）であるＬ０層とＬ２層のデータ記録領域１３３の一部には、管理情報記録領域１３５を設ける。このように管理情報を標準の記録密度の領域に記録することで、管理情報のフォーマットが一義に決定され、また従来の装置でも確実に管理情報を読み出すことができる。なお、Ｌ０層は常に標準密度（２５ＧＢ／ｌａｙｅｒ）の記録層であるように決めておけば、管理情報をより確実に読み出すことができる。あるいは、管理情報記録領域１３５をデータ記録密度が最低となる記録層のデータ記録領域に設けても良い。
【０１０７】
管理情報記録領域１３５には、エンボスピットや書換え可能なマークで管理情報を記録する。管理情報の内容は、各層のデータ記録密度とともにその層の使用可否情報を含む。例えば使用可能であれば“１”ビット、使用不可であれば“０”ビットとする。
【０１０８】
図１６は、光ディスク（タイプＥ）の記録フォーマットの他の例を示す図である。図１５と区別するためにタイプＥ’とする。
【０１０９】
これは、標準記録密度（２５ＧＢ／ｌａｙｅｒ）の層がどの層であるか、装置が分からない場合でも対応可能なようにするため、全ての層に管理情報記録領域１３６を設けたものである。いずれの領域も、標準記録密度（２５ＧＢ／ｌａｙｅｒ）のフォーマットに従い、エンボスピットや書換え可能なマークで管理情報を記録する。
【０１１０】
光ディスク装置は、ディスクローディングのときディスク管理情報（記録密度情報、使用可否情報）を読み出し、密度情報格納メモリに格納する。記録再生時には各層の記録密度に応じて記録再生条件を切り替えるとともに、使用不可の層については記録再生動作を中止することで、無駄な動作を回避することができる。
【０１１１】
図１７は、本実施例の記録再生処理の手順を示すフローチャートである。ここでは、ディスクローディング時の工程を示す。
【０１１２】
Ｓ６０１では、光ディスク装置にディスクを挿入する。ここでは、ディスクは標準密度（２５ＧＢ／ｌａｙｅｒ）の層と高密度（３３ＧＢ／ｌａｙｅｒ）の層とが多層化されて混在するディスク（タイプＥ、タイプＥ’）である。管理情報は、標準密度（２５ＧＢ／ｌａｙｅｒ）のデータ記録領域に記録されている。
【０１１３】
Ｓ６０２では、光ヘッドのフォーカスを、標準密度（２５ＧＢ／ｌａｙｅｒ）の層へ引き込む。図１５のディスク（タイプＥ）の場合には、Ｌ０層またはＬ２層へ引き込む。図１６のディスク（タイプＥ’）の場合には、いずれの層でも良い。
【０１１４】
Ｓ６０３では、ディスクからディスク管理情報を読み出すための再生条件を設定する。すなわち、標準密度（２５ＧＢ／ｌａｙｅｒ）の再生条件に設定する。
【０１１５】
Ｓ６０４では、光ヘッドを管理情報記録領域１３５，１３６へ移動させる。
【０１１６】
Ｓ６０５では、管理情報記録領域からディスク管理情報を読み出す。
【０１１７】
Ｓ６０６では、読み出したディスク管理情報（記録密度情報、使用可否情報）を密度情報格納メモリ６０に格納する。
【０１１８】
Ｓ６０７では、ホストから情報の記録または再生指示のコマンドを待ち、コマンドを受けたら記録再生処理に進む。
【０１１９】
記録再生工程では、目標層の記録密度を判定して、記録密度に応じて記録再生条件を切り替える。もしも目標層が使用不可の層である場合は、その層での記録再生動作を中止し、必要に応じてホストに報告する。
【０１２０】
本実施例によれば、各層においてデータ記録密度が異なる多層ディスク（タイプＥ、タイプＥ’）において、標準密度のデータ記録領域の一部領域にディスク管理情報（各層の記録密度、使用可否情報）が標準密度のフォーマットにて記録されている。よって、管理情報の再生条件は一義に決定され、誤りなく判定できる。また、ディスク内の目標層の記録密度に従い、それぞれの記録密度に合った記録再生動作を実行するだけでなく、各記録層の使用可否情報を参照することで、使用不可の記録層を回避することができる。
【０１２１】
以上説明した各実施例では、データ記録密度が２５ＧＢ／ｌａｙｅｒと３３ＧＢ／ｌａｙｅｒの２種類について説明したが、記録密度はこれに限定するものではない。また、データ記録密度が３種類以上存在しても同様に適用できる。
【実施例５】
【０１２２】
本実施例では前記第1の実施例と同様に多層ブルーレイディスク（ＢＤ）において、データ記録密度が全層とも標準密度（２５ＧＢ／ｌａｙｅｒ）のディスク（以下、タイプＡと呼ぶ）、または全層とも高密度（３３ＧＢ／ｌａｙｅｒ）のディスク（以下、タイプＢと呼ぶ）を対象とする。層数については、例えば２５ＧＢ／ｌａｙｅｒ×４層構成、３３ＧＢ／ｌａｙｅｒ×３層構成として、両者ともディスク全体の容量を１００ＧＢとしたものである。上記タイプＡ，タイプＢのディスクにおけるディスク管理情報（データ記録密度情報）の表記方法については、図１に示す第１の実施例と同様であり、ここでは説明を省略する。
【０１２３】
本実施例では、上記タイプＡのディスクとタイプＢのディスクに対して、第１の実施例で説明したデータ記録密度と独立した記録密度の領域、例えばＢＣＡ、ＰＩＣ領域に記載されたディスク管理情報からのデータ記録密度情報を判別し、所定のデータ記録密度と異なるディスクについては、再生処理、および記録処理を停止する例について説明する。この例は、当該装置に対して、装置が再生動作もしくは記録動作に対応していないフォーマットのディスクを正しく認識させ、その結果を用いて、当該ディスクを排出する、イジェクト動作以外の動作を受付けなくする等の処理を行うことにより、ディスクまたは装置に悪影響が発生するのを防止することを目的とする。
本発明における記録再生装置の構成は図１９に示す。本記録再生装置は標準記録密度の光ディスクだけに対応し、高記録密度の光ディスクには対応しないものを想定している。
【０１２４】
図１８は本実施例の処理の手順を示すフローチャートである。ここでは、ディスクローディング時の工程を示す。
Ｓ７０１では、光ディスク装置にディスクを挿入する。ここでは、ディスクは２５ＧＢ／ｌａｙｅｒ（タイプＡ）か、３３ＧＢ／ｌａｙｅｒ（タイプＢ）である。
【０１２５】
Ｓ７０２では、ディスクからディスク管理情報（データ記録密度情報）を読み出すための再生条件を設定する。すなわち、図２に示すＢＣＡ領域１０１またはＰＩＣ領域１０２のフォーマットに従った再生条件を設定する。
【０１２６】
Ｓ７０３では、光ヘッドをディスク上の管理情報記録領域（ＢＣＡ領域またはＰＩＣ領域）へ移動させる。
【０１２７】
Ｓ７０４では、管理情報記録領域からディスク管理情報を読み出す。
Ｓ７０５では、読み出した記録密度情報から、当該ディスクのデータ記録密度が所定の記録密度、例えば２５ＧＢ／ｌａｙｅｒ（タイプＡ）であるかどうかを判定する。
図２２に示すＰＩＣ領域からディスク管理情報を読み出してデータ記録密度を判定する場合、以下の方法が考えられる。
1.  バイト１２に記載されるディスクの層構造の情報からの判別
2.  バイト１１に記載されるディスクのバージョン情報などの規格管理情報からの判別
3.  バイト１３に記載されるディスクのチャネルビット情報からの判別
上記の記録密判定方法により当該ディスクの記録密度が２５ＧＢ／ｌａｙｅｒ（タイプＡ）と判定されたＳ７０６に進み、第１の実施例と同様に２５ＧＢ／ｌａｙｅｒ用の記録再生処理条件（再生信号処理回路、ウォブル信号処理回路、記録ストラテジ）を設定し、Ｓ７０７のホストから情報の記録または再生指示のコマンドを待ち状態（レディ）とする。
【０１２８】
当該ディスクの記録密度が２５ＧＢ／ｌａｙｅｒ（タイプＡ）以外であると判定された場合は処理Ｓ７０７に進み、光ディスク装置からのディスクの排出処理を行う。
【０１２９】
本実施例のようなディスク判定処理が無い場合、例えば上記タイプＡのみの記録、再生に対応した光ディスク装置に、タイプＢのディスクが挿入された場合には データ記録密度の違いから再生処理、記録処理不能となり、最悪のケースとして例えばタイプＢディスク上の記録データを破壊するなどの事故の発生などが考えられる。これに対して、本実施例のようにデータ記録密度と独立した記録密度の領域からディスク記録情報を判定して適切にディスク排出処理を行うことにより、上記の事故発生を未然に防ぐことができる。
【０１３０】
なお、本発明の第1の実施例1、および第5の実施例5では、ディスク層数の一例として、２５ＧＢ／ｌａｙｅｒ×４層構成、３３ＧＢ／ｌａｙｅｒ×３層構成による容量１００ＧＢのディスクを示したが、本発明は例えばタイプＡのディスクを1層、もしくは2層構成、タイプＢのディスクを3層、もしくは4層とした場合などでも同様の効果を得られることは言うまでもない。
【０１３１】
また、本発明ではユーザデータの異なる記録密度の例として、１層あたり２５ＧＢと３３ＧＢの例を示したが、２種類以上の異なるユーザデータ記録密度の領域があれば、上記記録密度の値にとらわれるものではない。
【符号の説明】
【０１３２】
１…光ディスク、
２…スピンドルモータ、
９，１０…再生信号処理回路、
１２…復調回路、
１４，１５…ウォブル信号処理回路、
１７…アドレス生成回路、
２５…光ヘッド、
２７…記録ストラテジ生成回路、
３０，３１…ストラテジ格納メモリ、
３２…マイコン、
３５…密度判定回路、
４０…回転制御回路、
４２，４３…回転制御係数格納メモリ、
５０，６０…密度情報格納メモリ、
５１…アドレス判定回路、
５２…トラッキングよぎり数（ＴＥＳ）カウント回路、
６２…フォーカスエラー信号（ＦＥＳ）生成回路、
６４…現在層判定回路、
１０１，１１１，１２１，１３１…ＢＣＡ（Burst Cutting Area）領域、
１０２，１１２，１２２，１３２…ＰＩＣ（Permanent Information & Control data)領域、
１０３，１０４，１１３，１１４，１２３，１２４，１３３，１３４…データ記録領域、
１３５，１３６…管理情報記録領域。
【図１】
2011187100.tif 000004
【図２】
2011187100.tif 000005
【図３】
2011187100.tif 000006
【図４】
2011187100.tif 000007
【図５】
2011187100.tif 000008
【図６】
2011187100.tif 000009
【図７】
2011187100.tif 000010
【図８】
2011187100.tif 000011
【図９】
2011187100.tif 000012
【図１０】
2011187100.tif 000013
【図１１】
2011187100.tif 000014
【図１２】
2011187100.tif 000015
【図１３】
2011187100.tif 000016
【図１４】
2011187100.tif 000017
【図１５】
2011187100.tif 000018
【図１６】
2011187100.tif 000019
【図１７】
2011187100.tif 000020
【図１８】
2011187100.tif 000021
【図１９】
2011187100.tif 000022
【図２０】
2011187100.tif 000023
【図２１】
2011187100.tif 000024
【図２２】
2011187100.tif 000025
【図２３】
2011187100.tif 000026